(57)【要約】【課題】  水受け容器のデッキ部に設けられた水栓のレバーを、濡れた手やせっけんの付いた手で操作したり、そのレバーや蛇口管に付いたせっけんや汚れを水で洗い流す場合に、水やせっけんが跳ねたり、垂れたりしても、デッキ部が汚れてしまったり、デッキ部に水溜まりができたりすることのない水切り具を提供し、しかも水切り具そのものが汚れた場合には、簡単に新しいものに取り替えることができる水切り具を提供する。【解決手段】  水受け容器Ｗのデッキ部Ｄに設けた水栓ＳのレバーＬの基部に略垂直状態で着脱自在として取り付けられる遮蔽体１と、この遮蔽体１の下端部１ｂの下方において前端部２ｂを水受け容器Ｗに臨むようにして、前記水栓Ｓの本体胴部Ｂに略水平状態で着脱自在として取り付けられる受け体２とから構成したものとしている。【選択図】    図２
0003139149.tif 000002
【実用新案登録請求の範囲】
【請求項１】
水受け容器（Ｗ）のデッキ部（Ｄ）に設けた水栓（Ｓ）のレバー（Ｌ）の基部に略垂直状態で着脱自在として取り付けられる遮蔽体（１）と、この遮蔽体（１）の下端部（１ｂ）の下方において前端部（２ｂ）を水受け容器（Ｗ）に臨むようにして、前記水栓（Ｓ）の本体胴部（Ｂ）に略水平状態で着脱自在として取り付けられる受け体（２）とから構成したことを特徴とする水切り具。
【請求項２】
水受け容器（Ｗ）のデッキ部（Ｄ）に設けた水栓（Ｓ）のレバー（Ｌ）の基部に略垂直状態で着脱自在として取り付けられる遮蔽体（１）と、この遮蔽体（１）の下端部（１ｂ）の下方において前端部（２ｂ）を水受け容器（Ｗ）に臨むようにして、前記水栓（Ｓ）の本体胴部（Ｂ）に略水平状態で着脱自在として取り付けられる受け体（２）と、この受け体（２）の下方において下端部（３ｂ）を水受け容器（Ｗ）に臨むようにして、前記水栓（Ｓ）の蛇口管（Ｆ）の基部に略垂直状態で着脱自在として取り付けられる第二遮蔽体（３）とから構成したことを特徴とする水切り具。
【請求項３】
前記遮蔽体（１）を、動植物の形態をかたどったものにしたことを特徴とする請求項１記載の水切り具。
【請求項４】
前記遮蔽体（１）および第二遮蔽体（３）を、動植物の形態をかたどったものにしたことを特徴とする請求項２記載の水切り具。
【考案の詳細な説明】
【技術分野】
【０００１】
この考案は、洗面台や流し台などの水受け容器のデッキ部を汚したり、濡らしたりすることなく、デッキ部に設けられた水栓まわりの衛生状態を常に良好に保つことができる水切り具に関するものである。
【背景技術】
【０００２】
洗面台や流し台の水受け容器のデッキ部に設けられた水栓のレバーを、濡れた手やせっけんの付いた手で操作すると、水やせっけんが跳ねたり、垂れたりしてデッキ部を汚してしまうことがある。また、水栓のレバーや蛇口管に付いたせっけんや汚れを水で洗い流すと、その洗い流した水が水栓を伝わり、デッキ部に垂れて水溜まりができてしまったりすることがある。このデッキ部の汚れや水溜まりは、使用者に不快感を与えるとともに、水垢やカビの発生の原因ともなり、水栓まわりの衛生状態が悪くなる。
【０００３】
そのため、従来、例えば図７に示したように、水栓Ｓと、この水栓Ｓにより凹状のボウル部１１に吐水がなされる水受け容器Ｗとを有し、洗面または手洗い等のために用いられる水受け装置であって、水受け容器Ｗの上部のデッキ部Ｄに水切り可能な透水性を有する多孔質部１２を形成したものが発案されている（特許文献１）。
【０００４】
したがって、この水受け装置では、水受け容器Ｗの上部のデッキ部Ｄに形成した多孔質部１２に、跳ね水や垂れ水が生じても、この水は多孔質部１２を透過して水切りがなされ、水受け容器Ｗのデッキ部Ｄに水溜まりが生じることはないとしている。
【特許文献１】特開平８−２０６０２４号公報（第１頁、図１）
【考案の開示】
【考案が解決しようとする課題】
【０００５】
しかしながら、従来の水受け装置は、水受け容器Ｗのデッキ部Ｄに水溜まりが生じることはないとしても、せっけんが垂れたりすると、多孔質部１２が汚れてしまうという問題点を有していた。また、その多孔質部１２の汚れを取るには、多量の水で水洗いしなければならず、多孔質部１２が水浸しになったり、水の無駄遣いになるという問題点を有していた。
【０００６】
さらに、従来の水受け装置は、多孔質部１２を水受け容器Ｗのデッキ部Ｄに固着した状態で嵌め込んだものとしているので、そのデッキ部Ｄから取り外すのが困難であるため、長期間使用しているうちに多孔質部１２そのものが汚れても、この多孔質部１２を簡単に新しいものに取り替えることができないという問題点を有していた。
【０００７】
そこで、この考案は、上記従来の問題点を解決することをその課題としており、水受け容器のデッキ部に設けられた水栓のレバーを、濡れた手やせっけんの付いた手で操作したり、そのレバーや蛇口管に付いたせっけんや汚れを水で洗い流す場合に、水やせっけんが跳ねたり、垂れたりしても、デッキ部が汚れてしまったり、デッキ部に水溜まりができたりすることのない水切り具を提供し、しかも水切り具そのものが汚れた場合には、簡単に新しいものに取り替えることができる水切り具を提供することを目的としてなされたものである。
【課題を解決するための手段】
【０００８】
そのため、この考案の水切り具は、水受け容器Ｗのデッキ部Ｄに設けた水栓ＳのレバーＬの基部に略垂直状態で着脱自在として取り付けられる遮蔽体１と、この遮蔽体１の下端部１ｂの下方において前端部２ｂを水受け容器Ｗに臨むようにして、前記水栓Ｓの本体胴部Ｂに略水平状態で着脱自在として取り付けられる受け体２とから構成したものとしている。
【０００９】
さらに、この考案の水切り具は、水受け容器Ｗのデッキ部Ｄに設けた水栓ＳのレバーＬの基部に略垂直状態で着脱自在として取り付けられる遮蔽体１と、この遮蔽体１の下端部１ｂの下方において前端部２ｂを水受け容器Ｗに臨むようにして、前記水栓Ｓの本体胴部Ｂに略水平状態で着脱自在として取り付けられる受け体２と、この受け体２の下方において下端部３ｂを水受け容器Ｗに臨むようにして、前記水栓Ｓの蛇口管Ｆの基部に略垂直状態で着脱自在として取り付けられる第二遮蔽体３とから構成したものとしている。
【００１０】
そして、この考案の水切り具では、前記遮蔽体１や第二遮蔽体３を、動植物の形態をかたどったものにすることができる。
【考案の効果】
【００１１】
この考案の水切り具は、以上に述べたように構成されているので、水受け容器のデッキ部に設けられた水栓のレバーを、濡れた手やせっけんの付いた手で操作したり、そのレバーや蛇口管に付いたせっけんや汚れを水で洗い流す場合に、水やせっけんが跳ねたり、垂れたりしても、デッキ部が汚れてしまったり、デッキ部に水溜まりができたりすることなく、デッキ部に設けられた水栓まわりの衛生状態を常に良好に保つことができるものとなり、しかも水切り具そのものが汚れた場合には、簡単に新しいものに取り替えることができ、非常に使用し易いものとなる。
【考案を実施するための最良の形態】
【００１２】
以下、この考案の水切り具を実施するための最良の形態について、図面に基づき詳細に説明する。
【００１３】
図１〜３に示したこの考案の水切り具は、レバーＬが取り付けられた水栓胴部Ｂとは、蛇口管が別体として取り付けられた水栓Ｓに実施される形態を示している。このような水栓Ｓは、洗面台に頻繁に使用されている。なお、この水栓Ｓの蛇口管は、図示していないが、水受け容器Ｗのデッキ部Ｄにおいて、前記水栓胴部Ｂが取り付けられた個所の近辺に取り付けられる。
【００１４】
この考案の水切り具は、水受け容器Ｗのデッキ部Ｄに設けた水栓ＳのレバーＬの基部に略垂直状態で着脱自在として取り付けられる遮蔽体１と、この遮蔽体１の下方において前端部２ｂを水受け容器Ｗに臨むようにして、前記水栓Ｓの本体胴部Ｂに略水平状態で着脱自在として取り付けられる受け体２とから構成されている。
【００１５】
前記遮蔽体１は、防水加工を施した厚紙や、合成樹脂板などで作成されるが、その素材は特に限定されるものではない。この遮蔽体１は、水栓ＳのレバーＬの外径と略同一径とした取付孔１ａが略中央部に設けられており、遮蔽体１が垂直状態または少し斜めになる状態で前記水栓ＳのレバーＬの基部に取り付けられ、下端部１ｂの下方に前記受け体２が位置するようにしている。なお、前記取付孔１ａの周囲には、遮蔽体１が安定した状態で取り付けられると共に、水がレバーＬから本体胴部Ｂに伝わるのを防止するためにパッキン材（図示せず）を設けておくことができる。
【００１６】
さらに、前記遮蔽体１は、丸、三角、四角など、どのような形状にもすることができるが、動植物の形態をかたどったものにすると、興味を引くものとなったり、心理的ないやし効果が期待できるものとなる。図に示したものは、象の形態（象を正面から見たときの形態）をかたどったものとしており、この象の鼻にあたる位置に前記取付孔１ａを設けたものとしている。このようにすると、前記遮蔽体１を水栓ＳのレバーＬの基部に取り付けた場合に、そのレバーＬが象の鼻に見立てられ、意匠面において非常に興味を引くものとなる。
【００１７】
前記受け体２は、防水加工を施した厚紙や、合成樹脂板などで作成され、その素材は特に限定されるものではないが、水栓Ｓの本体胴部Ｂに取り付けられた状態で水受け容器Ｗのデッキ部Ｄの様子が見えるように透明体にするのが好ましい。この受け体２は、水栓Ｓの本体胴部Ｂの外径と略同一径とした取付孔２ａが基端部寄りに設けられており、受け体２が水平状態、または少し前方に傾いた状態で前記水栓Ｓの本体胴部Ｂに取り付けられ、前記遮蔽体１の下方に位置するようにすると共に、前端部２ｂを水受け容器Ｗに臨むようにしている。なお、前記取付孔２ａの周囲には、受け体２が安定した状態で取り付けられると共に、水が本体胴部Ｂからデッキ部Ｄに伝わるのを防止するためにパッキン材Ｐを設けておくことができる。
【００１８】
さらに、前記受け体２は、略四角形状としており、水栓Ｓのレバ−Ｌを左右いっぱいに動かしたときのレバ−Ｌの先端が描く軌跡が収まる程度の横幅としており、水受け容器Ｗのデッキ部Ｄに前端部２ｂが食み出すようにしており、前端部２ｂ側以外の三側端に側壁４を設けたものとしている。この側壁４は、受け体２に水が垂れたときに、跳ねたり、溢れ出ない程度の高さ、具体的には１〜３ｃｍ程度にしている。
【００１９】
図４〜６に示したこの考案の水切り具は、レバーＬが取り付けられた水栓胴部Ｂと蛇口管Ｆが一体として取り付けられた水栓Ｓに実施される形態を示している。このような水栓Ｓは、台所などの流し台に頻繁に使用されている。
【００２０】
この考案の水切り具は、水受け容器Ｗのデッキ部Ｄに設けた水栓ＳのレバーＬの基部に略垂直状態で着脱自在として取り付けられる遮蔽体１と、この遮蔽体１の下方において前端部２ｂを水受け容器Ｗに臨むようにして、前記水栓Ｓの本体胴部Ｂに略水平状態で着脱自在として取り付けられる受け体２と、この受け体２の下方において下端部３ｂを水受け容器Ｗに臨むようにして、前記水栓Ｓの蛇口管Ｆの基部に略垂直状態で着脱自在として取り付けられる第二遮蔽体３とから構成されている。
【００２１】
前記遮蔽体１は、防水加工を施した厚紙や、合成樹脂板などで作成されるが、その素材は特に限定されるものではない。この遮蔽体１は、水栓ＳのレバーＬの外径と略同一径とした取付孔１ａが略中央部に設けられており、遮蔽体１が垂直状態または少し斜めになる状態で前記水栓ＳのレバーＬの基部に取り付けられ、下端部１ｂの下方に前記受け体２が位置するようにしている。なお、前記取付孔１ａの周囲には、遮蔽体１が安定した状態で取り付けられると共に、水がレバーＬから本体胴部Ｂに伝わるのを防止するためにパッキン材（図示せず）を設けておくことができる。
【００２２】
さらに、前記遮蔽体１は、丸、三角、四角など、どのような形状にもすることができるが、動植物の形態をかたどったものにすると、興味を引くものとなったり、心理的ないやし効果が期待できるものとなる。図に示したものは、象の形態（象を正面から見たときの形態）をかたどったものとしており、この象の鼻にあたる位置に前記取付孔１ａを設けたものとしている。このようにすると、前記遮蔽体１を水栓ＳのレバーＬの基部に取り付けた場合に、そのレバーＬが象の鼻に見立てられ、意匠面において非常に興味を引くものとなる。
【００２３】
前記受け体２は、防水加工を施した厚紙や、合成樹脂板などで作成され、その素材は特に限定されるものではないが、水栓Ｓの本体胴部Ｂに取り付けられた状態で水受け容器Ｗのデッキ部Ｄの様子が見えるように透明体にするのが好ましい。この受け体２は、水栓Ｓの本体胴部Ｂの外径と略同一径とした取付孔２ａが基端部寄りに設けられており、受け体２が水平状態、または少し前方に傾いた状態で前記水栓Ｓの本体胴部Ｂに取り付けられ、前記遮蔽体１の下方に位置するようにすると共に、前端部２ｂを水受け容器Ｗに臨むようにしている。なお、前記取付孔２ａの周囲には、受け体２が安定した状態で取り付けられると共に、水が本体胴部Ｂからデッキ部Ｄに伝わるのを防止するためにパッキン材Ｐを設けておくことができる。また、前記受け体２は、図示したように、前端部２ｂに向かって水栓Ｓの蛇口管Ｆが競り上がっている場合には、その競り上がっている部分が当たらないように、前端部２ｂに切欠部２ｃを設けたものとしている。
【００２４】
さらに、前記受け体２は、略四角形状としており、水栓Ｓのレバ−Ｌを左右いっぱいに動かしたときのレバ−Ｌの先端が描く軌跡が収まる程度に前端部２ｂを広げており、水受け容器Ｗのデッキ部Ｄに前端部２ｂが食み出すようにしており、前端部２ｂ側以外の三側端に側壁４を設けたものとしている。この側壁４は、受け体２に水が垂れたときに、跳ねたり、溢れ出ない程度の高さ、具体的には１〜３ｃｍ程度にしている。なお、前端部２ｂに切欠部２ｃを設けたものとした場合には、この切欠部２ｃの周囲にも前記側壁４と同程度の高さの立壁５を設けたものとしている。
【００２５】
前記第二遮蔽体３は、防水加工を施した厚紙や、合成樹脂板などで作成されるが、その素材は特に限定されるものではない。この第二遮蔽体３は、水栓Ｓの蛇口管Ｆの外径と略同一径とした取付孔３ａが略中央部に設けられており、第二遮蔽体３が垂直状態または少し斜めになる状態で前記水栓Ｓの蛇口管Ｆの基部に取り付けられ、前記受け体２の下方に位置するようにすると共に、下端部３ｂを水受け容器Ｗに臨むようにしている。なお、前記取付孔３ａの周囲には、第二遮蔽体３が安定した状態で取り付けられると共に、水がレバーＬから本体胴部Ｂに伝わるのを防止するためにパッキン材Ｐを設けておくことができる。
【００２６】
さらに、前記第二遮蔽体３は、丸、三角、四角など、どのような形状にもすることができるが、動植物の形態をかたどったものにすると、興味を引くものとなったり、心理的ないやし効果が期待できるものとなる。図に示したものは、魚の形態（魚を側面から見たときの形態）をかたどったものとしており、この魚の胴部にあたる位置に前記取付孔３ａを設けたものとしている。
【００２７】
以上のように構成したこの考案の水切り具は、次のようにして使用される。
【００２８】
先ず、図１〜３に示したこの考案の水切り具は、受け体２に設けた取付孔２ａに、水受け容器Ｗのデッキ部Ｄに設けた水栓ＳのレバーＬを通過させて、この受け体２を水栓Ｓの本体胴部Ｂに取り付ける。次に、遮蔽体１に設けた取付孔１ａに、前記水栓ＳのレバーＬを差し込んで、遮蔽体１を水栓ＳのレバーＬの基端部に取り付け、この遮蔽体１の下方に前記受け体２が位置するようにする。
【００２９】
このようにして前記水栓Ｓに取り付けられたこの考案の水切り具は、水栓ＳのレバーＬを、濡れた手やせっけんの付いた手で操作した場合に、水やせっけんが跳ねたり、垂れたりしても、遮蔽体１により遮られ、デッキ部Ｄには跳ねたり、垂れたりせず、デッキ部Ｄを汚してしまうことはない。さらに、前記水栓のレバーに付いたせっけんや汚れを水で洗い流すと、その洗い流した水は遮蔽体１により遮られ、この遮蔽体１を伝わって下端部１ｂから受け体２に落とされ、この受け体２を伝わって前端部２ｂから水受け容器Ｗに落とされるので、デッキ部Ｄには垂れることなく、水溜まりができるようなことはない。
【００３０】
そして、この考案の水切り具は、水切り具そのものが汚れた場合には、遮蔽体１および受け体２を水栓Ｓから引き抜くことにより外すことができるので、簡単に新しいものに取り替えることができる。
【００３１】
また、図４〜６に示したこの考案の水切り具は、第二遮蔽体３に設けた取付孔３ａに、水受け容器Ｗのデッキ部Ｄに設けた水栓Ｓの蛇口管Ｆを差し込んで、この第二遮蔽体３を水栓Ｓの蛇口管Ｆの基端部に取り付ける。次に、受け体２に設けた取付孔２ａに、前記水栓ＳのレバーＬを通過させて、受け体２を水栓Ｓの本体胴部Ｂに取り付け、この受け体２の下方に前記第二遮蔽体３が位置するようにする。さらに、遮蔽体１に設けた取付孔１ａに、前記水栓ＳのレバーＬを差し込んで、遮蔽体１を水栓ＳのレバーＬの基端部に取り付け、この遮蔽体１の下方に前記受け体２が位置するようにする。
【００３２】
このようにして前記水栓Ｓに取り付けられたこの考案の水切り具は、水栓ＳのレバーＬを、濡れた手やせっけんの付いた手で操作した場合に、水やせっけんが跳ねたり、垂れたりしても、遮蔽体１により遮られ、デッキ部Ｄには跳ねたり、垂れたりせず、デッキ部Ｄを汚してしまうことはない。また、水栓ＳのレバーＬに付いたせっけんや汚れを水で洗い流すと、その洗い流した水は遮蔽体１により遮られ、この遮蔽体１を伝わって下端部１ｂから受け体２に落とされ、この受け体２を伝わって前端部２ｂから水受け容器Ｗに落とされるので、デッキ部Ｄには垂れることなく水溜まりができるようなことはない。さらに、前記水栓Ｓの蛇口管Ｆにせっけんが付いたり、汚れた場合に、このせっけんや汚れを水で洗い流すと、その洗い流した水は第二遮蔽体３により遮られ、この第二遮蔽体３を伝わって下端部３ｂから水受け容器Ｗに落とされるので、デッキ部Ｄには垂れることなく水溜まりができるようなことはない。
【００３３】
そして、この考案の水切り具は、水切り具そのものが汚れた場合には、遮蔽体１、受け体２および第二遮蔽体３を水栓Ｓから引き抜くことにより外すことができるので、簡単に新しいものに取り替えることができる。
【図面の簡単な説明】
【００３４】
【図１】この考案の水切り具の一実施形態を示す斜視図である。
【図２】図１に示すこの考案の水切り具を水栓に取り付けた状態を示す斜視図である。
【図３】図１に示すこの考案の水切り具を水栓に取り付けた状態を示す断面図である。
【図４】この考案の水切り具の他の実施形態を示す斜視図である。
【図５】図４に示すこの考案の水切り具を水栓に取り付けた状態を示す斜視図である。
【図６】図４に示すこの考案の水切り具を水栓に取り付けた状態を示す断面図である。
【図７】従来の水受け装置の斜視図である。
【符号の説明】
【００３５】
１  遮蔽体
１ｂ  下端部
２  受け体
２ｂ  前端部
３  第二遮蔽体
３ｂ  下端部
Ｗ  水受け容器
Ｄ  デッキ部
Ｓ  水栓
Ｌ  レバー
Ｂ  水栓胴部
Ｆ  蛇口管
【図１】
0003139149.tif 000003
【図２】
0003139149.tif 000004
【図３】
0003139149.tif 000005
【図４】
0003139149.tif 000006
【図５】
0003139149.tif 000007
【図６】
0003139149.tif 000008
【図７】
0003139149.tif 000009